(57)【要約】【課題】  ジャムが解除されて原稿の読取りが再開されるときに、原稿のジャムを避けることができる画像形成装置を提供する。【解決手段】  ジャム解除後のジョブ再開時には、液晶表示部に、「原稿の読取りに原稿破損の危険があれば、回避キーを押して下さい。原稿の読取りに原稿破損の危険が無い場合は、原稿束を元に戻して下さい」という表示が行なわれる。ユーザは、原稿排出部に排出された原稿をチェックし、原稿の読取りに原稿破損の危険があるか否かを判断し、原稿の読取りに原稿破損の危険があると判断した場合は、「回避キー」を押下げ（Ｓ１５で回避キー押下げ）、危険がないときは、そのまま再開キーを押下げる（Ｓ２１）。【選択図】      図３
2006184511.tif 000002
【特許請求の範囲】
【請求項１】
原稿を所定の原稿読取り位置へ搬送する原稿送り装置と、
前記所定の原稿読取り位置、または原稿台テーブル上のいずれかにおいて、前記原稿を読取る読取り手段と、
前記原稿送り装置における原稿の搬送中の原稿詰まりを検出するジャム検出手段とを含み、
前記ジャム検出手段による、原稿の詰まりを検出した後の原稿の読取りを、前記原稿台テーブル上で行なうことのできるよう、前記読取り手段を制御する制御手段とを含む、画像形成装置
【請求項２】
表示手段をさらに有し、
前記制御手段は、前記表示手段に、前記原稿読取り手段の読取りを、前記原稿台テーブルまたは自動原稿送り装置のいずれで行なうかを問い合せる表示を行なうよう制御する、請求項１に記載の画像形成装置。
【請求項３】
所定の原稿読取り位置、または原稿台テーブル上のいずれかにおいて、原稿を読取る読取り手段と、
前記原稿の画像が形成される用紙を所定の画像形成位置に搬送する用紙搬送手段と、
前記用紙搬送手段による用紙の搬送中の用紙詰まりを検出する用紙ジャム検出手段とを含み、
前記用紙ジャム検出手段による、用紙の詰まりを検出した後の原稿の読取りを、前記原稿台テーブル上で行なうことのできるよう、前記読取り手段を制御する制御手段とを含む、画像形成装置。
【発明の詳細な説明】
【技術分野】
【０００１】
この発明は、画像形成装置に関し、特に、紙詰まり後の処理を考慮した画像形成装置に関する。
【背景技術】
【０００２】
紙詰まり後の処理を考慮した画像形成装置が、たとえば、特開２００１−１３６３３９号公報（特許文献１）に開示されている。
【０００３】
同公報によれば、記録紙にジャムが発生して画像形成装置の動作が中断したときは、原稿の読取り動作中であるときはその原稿の読取りが終了した時点で原稿給送手段の給送動作が中断される。そして、ジャムが解除されて画像形成装置の記録動作が再開されたとき、記憶部に記憶されている原稿画像であって、ジャムが発生した記録紙に記録されるべき原稿画像およびジャムが発生したときに読取り動作中であった原稿画像を読出して記録紙に記録する一方、原稿載置部に残っている原稿が引き続いて原稿読取り部に給送され、残りの原稿の読取りと記録紙への原稿画像の記録が行なわれる。このため、記録紙にジャムが発生しても原稿を繰り返し給送する必要がなくなることから原稿の傷みが抑制される画像形成装置が提供されている。
【特許文献１】特開２００１−１３６３３９号公報（段落番号０００６等）
【発明の開示】
【発明が解決しようとする課題】
【０００４】
従来の紙詰まり後の処理を考慮した画像形成装置は、上記のように構成されていた。特許文献１においては、一旦読取った原稿の再読込（原稿の空送り）を行なわないため、原稿の傷みは抑制されるが、ジャム処理後は、原稿載置部に残っている原稿が引き続いて原稿読取り部に給送されるため、再度給送された原稿がジャムを引き起こす可能性があるという問題があった。
【０００５】
この発明は、上記のような問題点に着目してなされたもので、ジャムが解除されて原稿の読取りが再開されるときに、確実に原稿のジャムを避けることができる画像形成装置を提供することを目的とする。
【課題を解決するための手段】
【０００６】
この発明に係る、画像形成装置は、原稿を所定の原稿読取り位置へ搬送する原稿送り装置と、所定の原稿読取り位置、または原稿台テーブル上のいずれかにおいて、原稿を読取る読取り手段と、原稿送り装置における原稿の搬送中の原稿詰まりを検出するジャム検出手段とを含み、ジャム検出手段による、原稿の詰まりを検出した後の原稿の読取りを、原稿台テーブル上で行なうことのできるよう、読取り手段を制御する制御手段とを含む。
【０００７】
好ましくは、表示手段をさらに有し、制御手段は、表示手段に、原稿読取り手段の読取りを、原稿台テーブルまたは自動原稿送り装置のいずれで行なうかを問い合せる表示を行なうよう制御する。
【０００８】
この発明の他の局面においては、画像形成装置は、所定の原稿読取り位置、または原稿台テーブル上のいずれかにおいて、原稿を読取る読取り手段と、原稿の画像が形成される用紙を所定の画像形成位置に搬送する用紙搬送手段と、用紙搬送手段による用紙の搬送中の用紙詰まりを検出する用紙ジャム検出手段とを含み、用紙ジャム検出手段による、用紙の詰まりを検出した後の原稿の読取りを、原稿台テーブル上で行なうことのできるよう、読取り手段を制御する制御手段とを含む。
【発明の効果】
【０００９】
この発明においては、ジャム後の原稿の読取りを、原稿台テーブル上で行なうことができるため、原稿をそのまま原稿送り装置で読取り部へ送ると原稿破損の危険があれば、原稿台テーブルを用いて原稿の読取りが可能になる。
【００１０】
その結果、ジャムが解除されて原稿の読取りが再開されるときに、ユーザの選択によって、確実に原稿のジャムを避けることができる画像形成装置を提供できる。
【発明を実施するための最良の形態】
【００１１】
以下、この発明の実施の形態を、図面を参照して説明する。図１はこの発明の一実施の形態を、複写機能を有する画像形成装置に適応した場合の、画像形成装置１０の構成を示す模式図である。図１を参照して、画像形成装置１０は、原稿を自動的に所定の原稿読取り位置へ搬送する原稿送り装置３２と、画像形成装置１０とユーザとのインターフェイスとなる操作・表示部２０と、原稿送り装置３２によって搬送されてきた原稿の画像を所定の読取り位置でスキャナで読取る画像読取り部３０と、画像読取り部３０の下部に設けら、画像読取り部３０で読取られた原稿からその画像を形成する画像形成部３５と、画像形成部３５の下部に設けられ、コピー等に使用される用紙を収納する複数の用紙収納部１５ａ〜１５ｃとを含む。
【００１２】
画像読取部３０は、図示のない原稿台テーブルを含み、原稿台テーブル上に載置された原稿は、画像読取ＣＣＤを有するスキャナ３１によってテーブルスキャンによって読取られる。
【００１３】
図２は図１に示した画像形成装置１０の機能ブロック図である。図２においては、図１と同じ部分には同じ参照番号を付している。
【００１４】
図２を参照して、画像形成装置１０の画像読取り部３０は、上記した原稿を走査するスキャナ３１と、スキャナに設けられた画像読取りＣＣＤ３３とを含む。なお、ここでは、スキャナ３１の所定の読取り位置に自動的に原稿を搬送する原稿送り装置（Document Feeder）３２も画像読取り部３０に含めている。
【００１５】
画像読取り部３０および画像形成部３５等を制御する制御部４０は、ジャム検出手段、制御手段として機能するとともに、画像形成装置１０全体を制御するＣＰＵ４１と、各種データを格納するＲＯＭ，ＲＡＭ４２と、画像読取りＣＣＤ３３からの読取りデータを受け、ハードディスク４９やプリンタエンジン５１にデータを供給するメモリコピー部４３と、各種外部機器とのインターフェイス（Ｉ／Ｆ）４４〜４７とを含む。
【００１６】
インターフェイス（Ｉ／Ｆ）４４〜４７にはそれぞれ、プリンタコントローラ５０、上記した操作・表示部２０と、プリンタエンジン部５１、画像蓄積部となるハードディスク４９、画像読取りＣＣＤ３３が接続されている。
【００１７】
操作・表示部２０は、テンキー等のキー入力部２１と、液晶表示部２２と、ＬＥＤ表示部２３とを含む。ユーザは、キー入力部２１を用いて、所望のコピー等の設定を行なう。一方、ＣＰＵ４１は液晶表示部２２、ＬＥＤ表示部２３を用いて、ジャム等の画像形成装置の状態を通知する。なお、液晶表示部２２はタッチパネルとして、それを用いてユーザが画像形成装置の設定を行なってもよい。
【００１８】
なお、キー入力部２１には、ユーザが原稿送り装置３２上にセットした原稿、または原稿台テーブル上にセットした原稿をスキャナ３１による読取りの開始を指示する「スタートボタン」や、読取りの終了を指示する「終了キー」等も含む。
【００１９】
プリンタエンジン５１は、ＬＳＵ（Laser Scanner Unit）５２と、定着装置５４とのインターフェイス５３とを含み、定着装置５４は、定着駆動モータ５５と、定着ヒータ５６と、定着温度センサ５７と機外温度センサ５８とを含む。
【００２０】
操作・表示部２０で入力されたユーザの設定に基づいて、画像読取部３０で原稿が読取られる。読取られた原稿の画像データは、ＲＡＭ４２やハードディスク４９に格納され、それがプリンタエンジン５１に内蔵された図示のない感光体ドラム上で潜像化され、定着機５４で用紙収納部１５ａ〜１５ｃから給紙された用紙に転写されて、図示のない用紙排出部に排出される。
【００２１】
なお、図中、太線は画像信号の流れを示し、細線は制御信号の流れを示す。
【００２２】
次にこの画像形成装置１０の動作について説明する。図３は、画像形成装置１０において原稿を読取る場合の動作を示すフローチャートである。
【００２３】
図３を参照して、ユーザは画像読取り部３０の原稿送り装置３２に原稿をセットして、操作・表示部２０から原稿の読取り開始を指示する（ステップＳ１１、以下ステップを省略する）。原稿の読取り中に、原稿送り装置３２において原稿のジャムが発生すると、ＣＰＵ４１はそれを検知して、液晶表示部２２等にジャムの発生位置を表示し、ユーザに詰まった原稿の排出を促す。ユーザは、原稿中に再度原稿詰まりを引き起こす可能性のある原稿がないかどうかを確認するために、原稿送り装置３２上にセットされたを全て取出す。
【００２４】
ユーザがジャムした原稿を排除し、ＣＰＵ４１がそれを確認すると、ジャムが解除され（Ｓ１３）、ジョブを再開してよい、という旨の表示が液晶表示部２２に行なわれる（Ｓ１４）。このとき、液晶表示部２２には、「原稿の読取りに原稿破損の危険があれば、回避キーを押して下さい。原稿の読取りに原稿破損の危険が無い場合は、原稿束を元に戻して下さい」という表示、「回避キー」および「再開キー」の表示が行なわれる。
【００２５】
ユーザは、原稿をチェックし、原稿送り装置３２での原稿の読取りに原稿破損の危険があるか否かを判断する。
【００２６】
原稿破損の危険があると判断した場合は、「回避キー」を押下げる（Ｓ１５で回避キー押下げ）。すると、液晶表示部２２には「読取りを失敗した原稿を原稿台テーブルにセットし読取りを開始して下さい」という指示メッセージを表示する（Ｓ１６）。１枚の原稿の読取りが終了すると、「続けて読取る場合は原稿を交換して読取りを開始して下さい。終了する場合は終了キーを押して下さい」という継続表示を行なう（Ｓ１７）。
【００２７】
ユーザが、他の原稿は原稿破損の危険がないと判断して、「終了キー」が押されると（Ｓ１８でＹＥＳ）、「残りの原稿を原稿送り装置３２にセットして、再開キーを押下げて下さい」というメッセージを表示する（Ｓ１９）。
【００２８】
ユーザが原稿を原稿送り装置３２にセットして、再開キーを押下げると（Ｓ２０）、通常どおり、原稿送り装置３２からの原稿の読取りが再開される。
【００２９】
Ｓ１８で終了キーが押下げられなかったときは、処理はＳ１７へ戻る。
【００３０】
一方、Ｓ１５で、ユーザが残りの原稿を原稿送り装置３２にセットしてそのまま再開キーを押下げたときは、Ｓ２０へ移行し、通常とおりの原稿の読取りが再開される。
【００３１】
以上のように、この実施の形態においては、ジャム発生後の原稿の読取り再開時に、ユーザが原稿をチェックして、原稿の状態に応じて原稿台テーブル上での原稿の読取りを可能にしたため、従来のように、再度の原稿によるジャムが発生する可能性を避けることができる。
【００３２】
また、ユーザの判断により、破損の危険のある原稿のみを原稿台テーブルで読取り、破損の危険のない原稿は原稿送り装置を用いて原稿の読取りを可能にしたため、ジャム後において原稿に応じた適切な読取りが可能な画像形成装置が提供できる。
【００３３】
なお、上記実施の形態においては、原稿がジャムした場合に原稿の読取りを原稿台テーブル上で行なうことができる場合について説明したが、これに限らず、原稿の画像が形成される用紙を所定の画像形成位置に搬送する用紙搬送手段において用紙ジャム検出手段により用紙ジャムが検出されたときにも同様の処理を行なうようにしてもよい。
【００３４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３５】
【図１】画像形成装置の全体構成を示す模式図である。
【図２】画像形成装置の機能ブロック図である。
【図３】画像形成装置の動作を示すフローチャートである。
【符号の説明】
【００３６】
１０  画像形成装置、１５  用紙収納部、２０  操作・表示部、２１  キー入力部、２２  液晶表示部、２３  ＬＥＤ表示部、３０  画像読取り部、３１  スキャナ、３２  原稿送り装置、３３  画像読取りＣＣＤ、３５  画像形成部、４０  制御部、４１  ＣＰＵ、５０  プリンタコントローラ、５１  プリンタエンジン部。
【図１】
2006184511.tif 000003
【図２】
2006184511.tif 000004
【図３】
2006184511.tif 000005